(57)【要約】【課題】携帯通信端末の電池残量が少ない状態でのプロジェクタ動作時、消費電力を低減し、電池残量の端末動作許容下限値到達の時間を延ばす機能を持つ携帯通信端末を提供する。【解決手段】充電可能な電池で駆動する携帯通信端末であって、光源と、前記光源からの光を変調する画像を表示する表示素子と、前記表示素子で変調された光を投影する光学系と、電池電圧測定手段と、前記電池電圧測定手段により測定された電池電圧値に応じて前記光源の発光量を制御する光源制御手段とを備える。【選択図】図２
2007300321.tif 000002
【特許請求の範囲】
【請求項１】
充電可能な電池で駆動する携帯通信端末であって、
光源と、
前記光源からの光を変調する画像を表示する表示素子と、
前記表示素子で変調された光を投影する光学系と、
電池電圧測定手段と、
前記電池電圧測定手段により測定された電池電圧値に応じて前記光源の発光量を制御する光源制御手段とを備えることを特徴とする携帯通信端末。
【請求項２】
充電可能な電池で駆動する携帯通信端末であって、
無線通信手段と、
光源と、
前記光源からの光を変調する画像を表示する表示素子と、
前記表示素子で変調された光を投影する光学系と、
無線通信信号の受信電界強度測定手段と、
前記受信電界強度測定手段により測定された受信電界強度に応じて前記光源の発光量を制御する光源制御手段とを備えることを特徴とする携帯通信端末。
【請求項３】
充電可能な電池で駆動する携帯通信端末であって、
無線通信手段と、
光源と、
前記光源からの光を変調する画像を表示する表示素子と、
前記表示素子で変調された光を投影する光学系と、
電池電圧測定手段と、
無線通信信号の受信電界強度測定手段と、
前記電池電圧測定手段により測定された電池電圧値と、前記受信電界強度測定手段により測定された受信電界強度とに応じて前記光源の発光量を制御する光源制御手段とを備えることを特徴とする携帯通信端末。
【請求項４】
電池電圧値と前記光源の発光量とを対応付ける情報を格納する電池電圧−光源発光量対応情報記憶手段をさらに備え、
前記光源制御手段は、前記電池電圧測定手段により測定された電池電圧値に基づいて前記電池電圧−光源発光量対応情報記憶手段から読み出された情報に応じて前記光源の発光量を制御することを特徴とする請求項１又は３記載の携帯通信端末。
【請求項５】
受信電界強度と前記光源の発光量とを対応付ける情報を格納する受信電界強度−光源発光量対応情報記憶手段をさらに備え、
前記光源制御手段は、前記受信電界強度−前記受信電界強度測定手段により測定された受信電界強度に基づいて光源発光量対応情報記憶手段から読み出された情報に応じて前記光源の発光量を制御することを特徴とする請求項２又は３記載の携帯通信端末。
【請求項６】
充電装置接続を検知する手段をさらに備え、
前記光源制御手段は、前記充電装置の接続有無に応じて前記光源の発光量を制御することを特徴とする請求項１乃至５のいずれか１項に記載の携帯通信端末。
【請求項７】
前記表示素子が表示する画像と同じ画像を表示可能な画像表示用ディスプレイをさらに備えることを特徴とする請求項１乃至６のいずれか１項に記載の携帯型端末。
【請求項８】
携帯電話機であることを特徴とする請求項１乃至７のいずれか１に記載の携帯通信端末。
【発明の詳細な説明】
【技術分野】
【０００１】
本発明は、携帯端末に関し、さらに詳しくは、画像を外部壁面等に拡大投影可能な手段を具備した携帯通信端末に関する。
【背景技術】
【０００２】
近年、無線通信技術の発達及び構成部品の小型化技術の発達に伴い、携帯電話機に代表される携帯通信端末が広く普及している。これら携帯型端末は、ユーザが手持ち可能な筐体を備え、メニュー画面やユーザが用意した画像を表示するための表示用ディスプレイを有することが一般的である。しかしながら、携帯型端末が小型化しているため、その表示用ディスプレイの大きさは制限され、大きな表示面積のものを採用することができず、これにより表示画像によっては十分な視認性を得られないという問題があった。
【０００３】
上記の問題を解決するための技術として、例えば、特許文献１がある。特許文献１に開示された携帯型端末は、画像表示用ディスプレイ、画像投影用プロジェクタ、及びこれらの制御手段を具備する。画像投影用プロジェクタは、投影光源、透過型表示素子、及びレンズから構成され、透過型表示素子を通過した投影光源からの投影光をレンズで拡大して外部壁面等へ投影を行う。これにより、画像表示用ディスプレイに表示される画像の少なくとも一部を画像投影用プロジェクタ内の透過型表示素子に表示することで、本来は画像表示用ディスプレイ上で視認される画像を、画像投影用プロジェクタを介して外部壁面等に拡大投影することが可能となる。そしてこの結果、画像表示用ディスプレイの大型化を図ることなく、画像の視認性向上を実現している。
【特許文献１】特開２００１−２１９９２号公報
【発明の開示】
【発明が解決しようとする課題】
【０００４】
一般に、携帯通信端末は、電池残量検出機能を具備するとともに、電池残量が端末動作許容下限値に近づいたことを検出した場合に該情報をユーザに通知する機能と、更に該電池残量が端末動作許容下限値に近づいたことを検出した場合に自身の電源オフ処理を実行する機能とを具備することが知られている。ここで、上記特許文献１に示された技術においては、携帯通信端末のプロジェクタ動作時、プロジェクタ投影光源の発光にかかる電力消費が常に一定であるため、端末の電池残量が少ない状態、又は無線通信用信号の受信電界強度が低い環境下、即ち端末から無線通信基地局への送信無線信号に高出力が要求され端末の消費電力が大きい状態の何れか又は双方において携帯通信端末のプロジェクタ動作を行う場合、電池残量が端末動作許容下限値に到達するまでの時間、即ち端末自身の電源オフ処理実行までの時間が早まり、利便性が損なわれるという課題があった。本発明は、上述のごとき実状に鑑みてなされたもので、携帯通信端末の電池残量が少ない状態、又は端末の電力消費が大きい状態における携帯通信端末でのプロジェクタ動作時、消費電力を低減し、電池残量の端末動作許容下限値到達の時間を延ばす機能を持つ携帯通信端末を提供することを目的とする。
【課題を解決するための手段】
【０００５】
本発明の携帯通信端末は、充電可能な電池で駆動する携帯通信端末であって、光源と、前記光源からの光を変調する画像を表示する表示素子と、前記表示素子で変調された光を投影する光学系と、電池電圧測定手段と、前記電池電圧測定手段により測定された電池電圧値に応じて前記光源の発光量を制御する光源制御手段とを備えることを特徴とする。
【０００６】
電池電圧値と前記光源の発光量とを対応付ける情報を格納する電池電圧−光源発光量対応情報記憶手段をさらに備え、前記光源制御手段は、前記電池電圧測定手段により測定された電池電圧値に基づいて前記電池電圧−光源発光量対応情報記憶手段から読み出された情報に応じて前記光源の発光量を制御するようにしてもよい。
【０００７】
本発明の他の携帯通信端末は、充電可能な電池で駆動する携帯通信端末であって、無線通信手段と、光源と、前記光源からの光を変調する画像を表示する表示素子と、前記表示素子で変調された光を投影する光学系と、無線通信信号の受信電界強度測定手段と、前記受信電界強度測定手段により測定された受信電界強度に応じて前記光源の発光量を制御する光源制御手段とを備えることを特徴とする。
【０００８】
受信電界強度と前記光源の発光量とを対応付ける情報を格納する受信電界強度−光源発光量対応情報記憶手段をさらに備え、前記光源制御手段は、前記受信電界強度−前記受信電界強度測定手段により測定された受信電界強度に基づいて光源発光量対応情報記憶手段から読み出された情報に応じて前記光源の発光量を制御するようにしてもよい。
【０００９】
充電装置接続を検知する手段をさらに備え、前記光源制御手段は、前記充電装置の接続有無に応じて前記光源の発光量を制御するようにしてもよい。
【００１０】
前記表示素子が表示する画像と同じ画像を表示可能な画像表示用ディスプレイをさらに備えてもよい。
【発明の効果】
【００１１】
本発明の携帯通信端末によれば、携帯通信端末の電池残量が少ない状態、又は端末の電力消費が大きい状態において、携帯通信端末でのプロジェクタ動作時、端末の電池駆動による動作時間を延ばすことが可能となる。
【発明を実施するための最良の形態】
【００１２】
以下、本発明の実施形態を添付された図面を参照に基づいて具体的に説明する。なお、実施形態を説明するための全図において、同様の機能を有する部分には同じ符号を付け、その繰り返しの説明は省略する。
【００１３】
（第１実施形態）
図１は、本発明の携帯通信端末の第１実施形態を示す図で、図１（Ａ）は、本発明の携帯通信端末の第１実施形態の概略図、図１（Ｂ）はその携帯通信端末の背面概略図、図１（Ｃ）はその携帯通信端末が備えるプロジェクタを使用したときの動作を説明するための側面概略図である。図１において、１０は携帯通信端末、７０は携帯通信端末１０の駆動電池、２０は充電器、４０は携帯通信端末１０の背面に設けられるプロジェクタ部、３０は携帯通信端末１０の前面に設けられる画像表示用ディスプレイ、５０はスクリーンである。
【００１４】
図１（Ｃ）に示すように、プロジェクタ部４０は、画像表示用ディスプレイ３０に表示される画像をスクリーン４０等の任意の被投影面に投影する。また、プロジェクタ部４０は、電池７０の残量に応じて投影光量を制御する。
【００１５】
図２は、図１に示した本発明の第１実施形態である携帯通信端末１０のプロジェクタ光源発光量制御の動作原理を説明するためのブロック構成図である。プロジェクタ部４０は、プロジェクタ部４０全体の制御を行うプロジェクタ制御部４６と、電池電圧値に対応した光源発光量についての情報を予め記憶する電池電圧−光源発光量対応情報記憶部４７と、白色ＬＥＤ（Ｌｉｇｈｔ  Ｅｍｉｔｔｉｎｇ  Ｄｉｏｄｅ：発光ダイオード）４１ａ及び拡散板４１ｂにより構成される光源４１と、光源４１の発光量を制御する光源駆動部４２と、光源４１からの光を変調する表示素子である透過型液晶板４３と、透過型液晶板４３に画像を設定する液晶駆動部４４と、透過型液晶板４３上に表示された画像をスクリーン４０上に結像するための光学系を構成する投影レンズ４５とを有している。また、端末電源管理部６０は、端末全体の電源制御を行う端末電源制御部６３と、電池７０の接続の有無を検出する電池接続検出部６４と、電池電圧をディジタル値に変換するＡ／Ｄ（Ａｎａｌｏｇ／Ｄｉｇｉｔａｌ）変換部６１と、Ａ／Ｄ変換部６１からの電池電圧値を読み出す電池電圧モニタ部６２と、電池電圧モニタ部６２より得られる電池電圧と端末動作許容下限値との差分電圧を判定する電池電圧閾値判定部６５と、充電器２０の接続を検出する充電器接続検出部６６とを有している。８０は携帯通信端末１０全体の管理及び制御を行う端末全体制御部である。
【００１６】
図３は、電池電圧値に応じた光源の発光量を定める情報テーブルの一例を示す図である。電池電圧−光源発光量対応情報記憶部４７には、図３に示す如く、電池電圧値レベル別にプロジェクタ部４０の光源４１が発光すべき発光量に関する発光量情報が予め記憶されている。プロジェクタ制御部４６は、端末電源制御部６３を介して充電器接続検出部６６による充電器２０の有無と、電池電圧モニタ部６２で検出される電池電圧値とに基づき、光源４１が発光すべき発光量を電池電圧−光源発光量対応情報記憶部４７より検索する。
【００１７】
例えば、電池電圧モニタ部６２が測定した電池電圧値が、図３におけるＶ１〜Ｖ２の範囲に該当する場合、プロジェクタ制御部４６は、電池電圧−光源発光量対応情報記憶部４７を検索することにより、光源４１の発光量情報としてＰ２を得る。そしてプロジェクタ制御部４６は、上記の検索が完了した時点で、検索された発光量情報を光源駆動部４２に設定する。これにより、光源駆動部４２は、プロジェクタ制御部４６より設定された発光量にて投影光源４１を駆動する。なお、図３で示すＶｎは端末動作許容下限電池電圧値であり、電池電圧値がＶｎに近づくに従い、投影光源４１の必要発光量は下限値であるＰｎに近づく形で低減する。
【００１８】
図４は、上述した携帯通信端末１０内プロジェクタ部４０における、光源発光量制御の処理例を説明するためのフローチャートである。まず、ステップＳ１０１において、携帯通信端末１０は、電池接続検出部６４による電池７０の接続の有無と、充電器接続検出部６６による充電器２０の接続の有無とを、各々検出する。次に、ステップＳ１０２において、携帯通信端末１０は、端末電源制御部６３に対して検出電池電圧値の転送開始要求を行う。次に、ステップＳ１０３において、携帯通信端末１０のプロジェクタ制御部４６は、端末電源制御部６３から通知される電池電圧値レベルに基づき、光源４１が発光すべき発光量情報を電池電圧−光源発光量対応情報記憶部４７より検索する。そして、ステップＳ１０４において、プロジェクタ制御部４６は、電池電圧−光源発光量対応情報記憶部４７を検索することにより得られた発光量情報を光源駆動部４２に設定することにより、光源４１の発光量制御を行う。これにより、光源駆動部４２は、プロジェクタ制御部４６より設定された発光量にて投影光源４１を駆動する。
【００１９】
以上述べたように、本実施形態における携帯通信端末１０では、電池電圧値に応じてプロジェクタ部４０の光源４１の発光量を制御できるため、電池電圧値が低い場合、即ち電池残量が少ない場合には光源４１の発光量を低減させることができ、光源４１における電力消費を抑えることが可能となる。
【００２０】
なお、本実施形態では、光源４１として白色ＬＥＤを採用しているが、これに代えてレーザー等の他の種々の発光手段を用いてもよい。
【００２１】
（第２実施形態）
図５は、本発明の携帯通信端末の第２実施形態を示す図で、図５（Ａ）は、本発明の携帯通信端末の第２実施形態の背面概略図、図５（Ｂ）はその携帯通信端末が備えるプロジェクタを使用したときの動作を説明するための側面概略図である。図５において、１６０は携帯通信端末１１０との無線通信を行う無線通信基地局、９０は携帯通信端末１１０が具備する無線通信用アンテナであり、携帯通信端末１１０のプロジェクタ部１４０は、無線通信基地局１６０との無線通信状態に応じて投影光量を制御する。１５０はスクリーンである。
【００２２】
図６は、図５に示した本発明の第２実施形態である携帯通信端末１１０のプロジェクタ光源発光量制御の動作原理を説明するためのブロック構成図である。図６において、無線通信部１００は、無線通信の全体制御を行う無線通信制御部１０１、無線通信用アンテナ９０経由にて無線通信基地局１６０から受信する無線信号と無線通信基地局１６０へ送信する無線送信信号とを隔離する方向性結合部１０５、無線通信基地局１６０からの無線受信信号を復調する無線通信受信処理部１０３、携帯通信端末１１０から無線通信基地局１６０への送信信号に対して変調を行う無線通信送信処理部１０２、無線通信基地局１６０からの無線受信信号の電界強度を測定する受信電界強度測定部１０４を具備する。また、プロジェクタ部１４０は、図２に示した第１実施形態の携帯通信端末１０のプロジェクタ部４０とほぼ同様であり、プロジェクタ制御部１４６、白色ＬＥＤ１４１ａ、拡散板１４１ｂ、光源１４１、光源駆動部１４２、透過型液晶板１４３、液晶駆動部１４４及び投影レンズ１４５と同様のプロジェクタ制御部１４６、白色ＬＥＤ１４１ａ、拡散板１４１ｂ、光源１４１、光源駆動部１４２、透過型液晶板１４３、液晶駆動部１４４及び投影レンズ１４５を備える。プロジェクタ制御部１４０は、無線通信基地局１６０からの受信無線信号の電界強度に対応した光源１４１の発光量に関する情報を予め記憶する受信電界強度−光源発光量対応情報記憶部１４７をさらに備える。１８０は携帯通信端末１１０全体の管理及び制御を行う端末全体制御部である。
【００２３】
図７は、電池電圧値に応じた光源１４１の発光量を定める情報テーブルの一例を示す図である。受信電界強度−光源発光量対応情報記憶部１４７には、図７に示す如く、受信電界強度別にプロジェクタ部１４０の光源１４１が発光すべき発光量についての情報が予め記憶されており、プロジェクタ制御部１４６は、この情報を検索することで、無線通信基地局１６０からの無線受信信号の電界強度に対応した光源１４１の発光量情報を得ることができる。
【００２４】
例えば、受信電界強度測定部１０４が測定した受信電界強度が、図７におけるＲｘ０〜Ｒｘ１の範囲に該当する場合、プロジェクタ制御部１４６は、受信電界強度−投影光源発光量対応情報記憶部１４７を検索することにより、投影光源１４１の必要発光量情報としてＰ１を得る。そしてプロジェクタ制御部１４６は、上記の検索が完了した時点で、検索された必要発光量情報を光源駆動部１４２に設定する。これにより、光源駆動部１４２は、プロジェクタ制御部１４６より設定された発光量にて投影光源１４１を駆動する。なお、図７で示すＲｘｎは端末が無線通信基地局からの信号を復調可能な最小受信電界強度であり、該状態においては、端末から無線通信基地局への無線送信信号電力は逆に最大となり、結果として端末としての無線通信制御に要する電力消費が最も大きい状態となる。これにより、端末の受信電界強度測定値がＲｘｎに近づく、即ち端末としての無線通信制御の必要電力が大きくなるに従い、投影光源１４１の必要発光量は下限値であるＰｎに近づく形で低減する。
【００２５】
図８は、本発明の携帯通信端末の第２実施形態のプロジェクタ部１４０における、投影光源発光量制御の処理例を説明するためのフローチャートである。まず、ステップＳ２０１において、携帯通信端末１１０は無線通信制御部１０１に対して受信電界強度測定値の転送開始要求を行う。次に、ステップＳ２０２において、携帯通信端末１１０のプロジェクタ制御部１４６は、無線通信制御部１０１から通知される受信電界強度測定値に基づき、投影光源１４１が発光すべき発光量情報を受信電界強度−光源発光量対応情報記憶部１４７より検索する。そして、ステップＳ２０３において、プロジェクタ制御部１４６は、受信電界強度−光源発光量対応情報記憶部１４７を検索することにより得られた発光量情報を光源駆動部１４２に設定することにより、投影光源１４１の発光量制御を行う。これにより、光源駆動部１４２は、プロジェクタ制御部１４６より設定された発光量にて投影光源１４１を駆動する。
【００２６】
以上述べたように、本実施形態における携帯通信端末１１０では、受信電界強度に応じてプロジェクタの投影光源１４１の発光量を制御できるため、受信電界強度が低い場合、即ち端末としての無線通信制御の必要電力が大きい場合には投影光源１４１の発光量を低減させることで、投影光源１４１における不要な電力消費を抑えることが可能となる。
【産業上の利用可能性】
【００２７】
本発明は、携帯通信端末に利用可能である。
【図面の簡単な説明】
【００２８】
【図１】本発明の携帯通信端末の第１実施形態を示す図である。
【図２】図１に示した携帯通信端末における投影光源発光量制御の動作原理を説明するためのブロック構成図である。
【図３】電池電圧値に応じた投影光源の必要発光量を定める情報テーブルの一例を示す図である。
【図４】図３に示した携帯通信端末における投影光源発光量制御の処理例を説明するためのフローチャートである。
【図５】本発明の携帯通信端末の第２実施形態を示す図である。
【図６】図５に示した携帯通信端末における投影光源発光量制御の動作原理を説明するためのブロック構成図である。
【図７】受信電界強度に応じた投影光源の必要発光量を定める情報テーブルの一例を示す図である。
【図８】図６に示した携帯通信端末における投影光源発光量制御の処理例を説明するためのフローチャートである。
【符号の説明】
【００２９】
１０、１１０  携帯通信端末
２０、１２０  充電器
３０  画像表示用ディスプレイ
４０、１５０  プロジェクタ部
４１、１４１  投影光源
４１ａ、１４１ａ  白色ＬＥＤ
４１ｂ、１４１ｂ  拡散板
４２、１４２  光源駆動部
４３、１４３  透過型液晶板
４４、１４４  液晶駆動部
４５、１４５  投影レンズ
４６、１４６  プロジェクタ制御部
４７  電池電圧−光源発光量対応情報記憶部
５０、１５０  スクリーン
６０  端末電源管理部
６１  Ａ／Ｄ変換部
６２  電池電圧モニタ部
６３  端末電源制御部
６４  電池接続検出部
６５  電池電圧閾値判定部
６６  充電器接続検出部
７０  電池
８０、１８０  端末全体制御部
９０  無線通信用アンテナ
１００  無線通信部
１０１  無線通信制御部
１０２  無線通信送信処理部
１０３  無線通信受信処理部
１０４  受信電界強度測定部
１０５  方向性結合部
１４７  受信電界強度−光源発光量対応情報記憶部
１６０  無線通信基地局
【図１】
2007300321.tif 000003
【図２】
2007300321.tif 000004
【図３】
2007300321.tif 000005
【図４】
2007300321.tif 000006
【図５】
2007300321.tif 000007
【図６】
2007300321.tif 000008
【図７】
2007300321.tif 000009
【図８】
2007300321.tif 000010